(57)【要約】      （修正有）【課題】ファンヒーターの位置にかかわらず、室内全体を暖め、暖房効率の向上を図ることができる暖房補助具を提供する。【解決手段】ファンヒーター２の温風吹出口２ａの前に温風吹出口２ａより低い位置で設置して使用される。ケース１０と複数の金属製の円筒２０とを有する。ケース１０は側面部１１と底面部とを有し、側面部１１に温風取入口１１ｃを有する。底面部の下部に温風取入口１１ｃから離れた側を設置面から離す脚部１２ａを有する。各円筒２０は各側面を温風取入口１１ｃに向けてそれぞれ隣接させ、両端を側面部１１に挟まれて底面部の上に配置されている。【選択図】図１
0003210140.tif 000002
【実用新案登録請求の範囲】
【請求項１】
ファンヒーターの温風吹出口の前に前記温風吹出口より低い位置で設置される暖房補助具であって、
ケースと複数の金属製の円筒とを有し、
前記ケースは側面部と底面部とを有し、前記側面部に温風取入口を有し、前記底面部の下部に前記温風取入口から離れた側を設置面から離す脚部を有し、
各円筒は各側面を前記温風取入口に向けてそれぞれ隣接させ、両端を前記側面部に挟まれて前記底面部の上に配置されていることを、
特徴とする暖房補助具。
【考案の詳細な説明】
【技術分野】
【０００１】
本考案は、ファンヒーターの熱を効率的に利用可能な暖房補助具に関する。
【背景技術】
【０００２】
従来、暖房効率の向上を目的とし、ファンヒーターの噴出口からの温風をケース体の前面側へと導くための風洞部を備えたファンヒーター用温風ガイド付ユニットが開示されている（例えば、特許文献１参照）。
【先行技術文献】
【特許文献】
【０００３】
【特許文献１】特開２００３−１９４３９３号公報
【考案の概要】
【考案が解決しようとする課題】
【０００４】
しかしながら、特許文献１の暖房補助具は、ファンヒーターからの温風をガイドして、ファンヒーターから離れた場所を温風により暖めることができるが、ファンヒーターの周囲は逆に暖めにくいという課題があった。
【０００５】
本考案は、このような課題に着目してなされたもので、ファンヒーターの位置にかかわらず、室内全体を暖め、暖房効率の向上を図ることができる暖房補助具を提供することを目的とする。
【課題を解決するための手段】
【０００６】
上記目的を達成するために、本考案に係る暖房補助具は、ファンヒーターの温風吹出口の前に前記温風吹出口より低い位置で設置される暖房補助具であって、ケースと複数の金属製の円筒とを有し、前記ケースは側面部と底面部とを有し、前記側面部に温風取入口を有し、前記底面部の下部に前記温風取入口から離れた側を設置面から離す脚部を有し、各円筒は各側面を前記温風取入口に向けてそれぞれ隣接させ、両端を前記側面部に挟まれて前記底面部の上に配置されていることを、特徴とする。
【０００７】
ファンヒーターは、灯油式のヒーターのほか、電気式のヒーターでもよい。円筒は、スチールから成ることが好ましいが、アルミニウム、銅などから成ってもよい。円筒は、４〜１０本から成ることが好ましい。ケースは、木製が好ましい。
【０００８】
本考案に係る暖房補助具は、温風取入口をファンヒーターの温風吹出口に向け、温風吹出口の前に温風吹出口より低い位置で設置して使用する。温風吹出口から吹き出す温風は、複数の金属製の円筒の上を流れ、温風吹出口から離れた位置まで運ばれる。金属製の円筒の上面に当たった温風は、円筒の凹凸により反射して拡散する。金属製の円筒は、温風吹出口から吹き出す温風により暖められ、輻射熱を放射する。その輻射熱により周囲を暖めることができる。こうして、ファンヒーターの位置にかかわらず、室内全体を暖め、暖房効率の向上を図ることができる。
本考案に係る暖房補助具は、金属製の円筒の上にタオルを乗せて、足温器やあんかとして利用してもよい。複数の金属製の円筒の一部を抜き出して、腰や腹などに当てて暖めてもよい。
【考案の効果】
【０００９】
本考案によれば、ファンヒーターの位置にかかわらず、室内全体を暖め、暖房効率の向上を図ることができる暖房補助具を提供することができる。
【図面の簡単な説明】
【００１０】
【図１】本考案の実施の形態の暖房補助具を示す斜視図である。
【図２】図１の暖房補助具を示す縦断面図である。
【考案を実施するための形態】
【００１１】
以下、図面に基づき本考案の実施の形態について説明する。
図１および図２は、本考案の実施の形態を示している。
図１に示すように、本考案の実施の形態の暖房補助具１は、ケース１０と複数の金属製の円筒２０とを有している。ケース１０は、木製で、側面部１１と底面部１２とを有している。暖房補助具１は、市販の灯油式ファンヒーター２とともに使用される。ファンヒーター２は、家庭用電源に接続され、ファンにより温風吹出口２ａから温風を吹き出すようになっている。
【００１２】
側面部１１は、正面材１１ａと２つの側面材１１ｂとから成っている。正面材１１ａは、直方体状の細長い板材から成る。正面材１１ａは、温風吹出口２ａとほぼ同じ長さを有している。２つの側面材１１ｂは、互いに同一形状を有している。各側面材１１ｂは、正面材１１ａと幅と厚さが同じで、正面材１１ａより長い板材から成る。各側面材１１ｂはそれぞれ一端が正面材１１ａの一端に垂直に固定され、側面部１１はコの字状の平面形状を有している。側面部１１は、正面材１１ａと対向する位置に温風取入口１１ｃを有している。
【００１３】
底面部１２は、長方形の板材から成り、側面部１１の内側を覆うよう側面部１１の底部に固定されている。底面部１２は、正面材１１ａの下部に突出する脚部１２ａを有している。脚部１２ａにより、温風取入口１１ｃから離れた側が設置面から浮いた状態に離される。脚部１２ａにより、底面部１２の熱が設置面に伝わりにくくなっている。ケース１０は、ファンヒーター２の温風吹出口２ａより低い高さを有している。
【００１４】
各円筒２０は、それぞれ長さ、太さおよび厚さが同一のスチール製で、２つの側面材１１ｂの間隔とほぼ同じ長さを有している。円筒２０は、６本の例を示しているが、２本以上であれば何本でもよい。各円筒２０は、５０ｍｍ径、厚さ１ｍｍ程度のものが好ましいが、限定されるものではない。各円筒２０は、各側面を温風取入口１１ｃに向けてそれぞれ隣接させ、両端を各側面材１１ｂに挟まれて底面部１２の上に配置されている。各円筒２０は、ケース１０の内部に配置されて、各側面材１１ｂの底面部１２より上の高さとほぼ同じ高さを有している。
【００１５】
次に、作用について説明する。
暖房補助具１は、温風取入口１１ｃをファンヒーター２の温風吹出口２ａに向け、温風吹出口２ａの前に温風吹出口２ａより低い位置で設置して使用する。温風吹出口２ａから吹き出す温風は、複数の金属製の円筒２０の上を流れ、温風吹出口２ａから離れた位置まで運ばれる。金属製の円筒２０の上面に当たった温風は、円筒２０の凹凸により反射して拡散する。金属製の円筒２０は、温風吹出口２ａから吹き出す温風により暖められ、輻射熱を放射する。その輻射熱により周囲を暖めることができる。こうして、ファンヒーターの位置にかかわらず、室内全体を暖め、暖房効率の向上を図ることができる。
【００１６】
暖房補助具１は、金属製の円筒２０の上にタオルを乗せて、足温器やあんかとして利用してもよい。複数の金属製の円筒２０の一部を抜き出して、腰や腹などに当てて暖めてもよい。
【符号の説明】
【００１７】
１  暖房補助具
２  ファンヒーター
２ａ  温風吹出口
１０  ケース
１１  側面部
１１ａ  正面材
１１ｂ  側面材
１１ｃ  温風取入口
１２  底面部
１２ａ  脚部
２０  円筒
【図１】
0003210140.tif 000003
【図２】
0003210140.tif 000004